(57)【要約】【課題】レンズ付きフイルムユニットの不正なパトローネの詰め替えを効果的に防止する。【解決手段】パトローネ本体２８は、上蓋２９、本体筒３０、底蓋３１、及びスプールと巻き上げノブを一体に形成したスプール一体型巻き上げノブ３２とからなる。パトローネ室２０上壁の開口２１の上壁の下面には、第１遮光リブ２２が形成されており、この第１遮光リブ２２をパトローネ本体２８の第２遮光リブ４７に係合させることによりパトローネ本体２８内が遮光される。露光済みの写真フイルムが巻き込まれたパトローネを取り出す場合には、パトローネ室２０上壁の開口２１の径が巻き上げノブ部６の外径よりも大きく形成してあるため、スプール一体型巻き上げノブ３２ごとパトローネをレンズ付きフイルムユニット下部の底蓋から取り出すことができるので、巻き上げノブのないレンズ付きフイルムユニットは再使用不能となる。【選択図】　　　　図４
2004126189.tif 000002
【特許請求の範囲】
【請求項１】
写真フイルムが巻き付けられるスプールが回転自在に収納されたパトローネと、このパトローネが収納されるパトローネ室と、スプールに回転を伝達する巻き上げノブとを備えたレンズ付きフイルムユニットにおいて、　前記スプールと前記巻き上げノブとを一体に形成したことを特徴とするレンズ付きフイルムユニット。
【請求項２】
写真フイルムが巻き付けられるスプールが回転自在に収納されたパトローネと、このパトローネが収納されるパトローネ室と、このパトローネ室の上部に配置され、スプールに回転を伝達する巻き上げノブと、パトローネ室の上面に、巻き上げノブをパトローネ室の上方に突出させる開口とを備えたレンズ付きフイルムユニットにおいて、
前記開口の全周を取り囲み、かつパトローネ室内に向けて突出された第１遮光リブを形成し、前記パトローネの巻き上げノブ側の端面に第１遮光リブと係合してパトローネ室内を光密にする第２遮光リブを設けたことを特徴とするレンズ付きフイルムユニット。
【請求項３】
前記開口は、巻き上げノブの最外輪郭よりも大きく形成されていることを特徴とする請求項２記載のレンズ付きフイルムユニット。
【請求項４】
写真フイルムが巻き付けられるスプールが回転自在に収納されたパトローネにおいて、
前記スプールと前記スプールに回転を伝達する巻き上げノブとを一体に形成したことを特徴とするパトローネ。
【発明の詳細な説明】
【０００１】
【発明の属する技術分野】
本発明は、パトローネの再装填を防止することができるレンズ付きフイルムユニットに関する。
【０００２】
【従来の技術】
簡単な撮影機構を備え、予めパトローネが装填されたレンズ付きフイルムユニットが各種販売されている。使用済みのレンズ付きフイルムユニットは、製造メーカーによって回収され、構成部品ごとにリユース、あるいはリサイクルされている。
【０００３】
現在販売されているレンズ付きフイルムユニットの中には、使用済みのレンズ付きフイルムユニットに未使用のパトローネが再装填された詰め替え製品がある。このような詰め替え製品は、適正な検査や修理が行われずに販売されるため、信頼性に乏しいという問題がある。また、詰め替え製品に発生する問題は、レンズ付きフイルムユニットそのものに対する信頼性を傷つけるため、従来のレンズ付きフイルムユニットでは再使用防止のための工夫が各種なされている。
【０００４】
使用済みのレンズ付きフイルムユニットに、新たに市販のパトローネを詰め替えさせないように、巻き上げノブとスプールの結合を特定の形状で嵌合させるように工夫しているものがある（例えば、特許文献１参照。）。このようにすれば、市販のパトローネを使用済みのレンズ付きフイルムユニットに装填しようとしても、市販のパトローネに備え付けてあるスプールのスプール穴の形状が、レンズ付きフイルムユニットに予め取り付けられている巻き上げノブのノブ軸の形状に対応していないため、嵌合させることができず、パトローネの再装填を防ぐことができる。
【０００５】
【特許文献１】
特許第３１９３２２９号明細書
【０００６】
【発明が解決しようとする課題】
しかしながら、スプールはプラスチックで形成されているため、例えば、焼きコテを使えば容易に市販のパトローネに備え付けられたスプールを、レンズ付きフイルムユニットの巻き上げノブに対応した形状に形成することができる。すなわち市販のパトローネを入手し、それに簡単な加工を施すだけで使用済みのレンズ付きフイルムユニットへの装填が可能となってしまうので、パトローネ詰め替え品の流通を防ぐことができないという問題がある。
【０００７】
本発明は、上記問題点を考慮してなされたもので、簡単な加工では、市販のパトローネが再装填できないようにしたレンズ付きフイルムユニットを提供することを目的とする。
【０００８】
【課題を解決するための手段】
上記目的を達成するために、本発明のレンズ付きフイルムユニットは、写真フイルムが巻き付けられるスプールが回転自在に収納されたパトローネと、このパトローネが収納されるパトローネ室と、スプールに回転を伝達する巻き上げノブとを備えたレンズ付きフイルムユニットにおいて、前記スプールと前記巻き上げノブとを一体に形成したものである。
【０００９】
また、写真フイルムが巻き付けられるスプールが回転自在に収納されたパトローネと、このパトローネが収納されるパトローネ室と、このパトローネ室の上部に配置され、スプールに回転を伝達する巻き上げノブと、パトローネ室の上面に形成され、前記巻き上げノブと前記スプールとを連結させる開口とを備えたレンズ付きフイルムユニットにおいて、前記開口の全周を取り囲み、かつパトローネ室内に向けて突出された第１遮光リブを形成し、前記パトローネの巻き上げノブ側の端面に第１遮光リブと係合してパトローネ室内を光密にする第２遮光リブを設けたことを特徴とする。
【００１０】
さらに、前記開口は、巻き上げノブの最外輪郭よりも大きく形成されており、巻き上げノブをパトローネと一緒に、レンズ付きフイルムユニットの底蓋を開けて取り出すことができる。
【００１１】
また、本発明のパトローネは、写真フイルムが巻き付けられるスプールが回転自在に収納されたパトローネにおいて、前記スプールと前記スプールに回転を伝達する巻き上げノブとを一体に形成したものである。
【００１２】
【発明の実施の形態】
図１は、本発明を実施したレンズ付きフイルムユニットの外観を示す背面側斜視図であり、図２は、その分解斜視図である。レンズ付きフイルムユニット２はパトローネ３や各種撮影機能を内蔵したユニット本体４と、これを包む外装体５とから構成されている。外装体５はユニット本体４の巻き上げノブ６、シャッタボタン７、ストロボ発光部８等を露呈させるような輪郭となっている。また、撮影レンズ９、ファインダ１０及び撮影枚数表示窓１１等を露呈させるための穴が設けられており、外装体５でユニット本体４を包んだ状態で撮影操作を行うことができる。
【００１３】
図２に示すように、ユニット本体４は本体基部１２、後カバー１３、撮影機構１４、ストロボユニット１５、及び前カバー１６とから構成されている。本体基部１２の前面には、撮影レンズ９、シャッタ機構やシャッタチャージ機構巻き止め機構等がメカベース１７に組み付けられてユニット化された撮影機構１４が取り付けられる。後カバー１３は、本体基部１２の背後に組み付けられる。
【００１４】
前カバー１６は、本体基部１２の前面に取り付けられる。この前カバー１６の上面には、その一部を切り欠いて弾性自在に形成したシャッタボタン７が設けられている。このシャッタボタン７の下部には、押圧ロッド１８が一体に設けられており、この押圧ロッド１８が撮影機構１４の構成部品を押圧してシャッタ機構を作動させる。
【００１５】
本体基部１２の中央にはアパーチャ１９が形成されており、このアパーチャ１９の前面に撮影機構１４が取り付けられる。アパーチャ１９の両側には、パトローネ室２０とフイルムロール室２５とが設けられている。パトローネ室２０の上壁には巻き上げノブ６の外径よりも大きな径の開口２１が形成されている。さらにパトローネ室２０の上壁の内面には、開口２１を取り囲むように、円環形状の第１遮光リブ２２が形成されている（図４及び図５参照）。
【００１６】
パトローネ室２０には、製造時に写真フイルム２３が予め引き出されたパトローネ本体２８が装填されている。パトローネ３から引き出された写真フイルム２３はロール状に巻かれ、フイルムロール２４としてフイルムロール室２５に収納されている。これらのパトローネ室２０とフイルムロール室２５の背面及び底面は、各々開口面となっており、パトローネ本体２８を装填した後に、後カバー１３と、これに一体に設けられている底蓋２６、２７によってそれぞれ塞がれる。
【００１７】
後カバーの上部には切り欠き１３ａが形成されている。これは、レンズ付きフイルムユニット２を使用するにあたり、巻き上げノブ６を操作するために設けられている。さらに、切り欠き１３ａは、後述する巻き上げノブ６と一体に構成されたパトローネ３を、後カバー１３に引っ掛かることなく取り出すことができるように（図１の破線矢印を参照）設計されている。
【００１８】
図３において、パトローネ３は、パトローネ本体２８と、この中に収納される写真フイルム２３とからなる。パトローネ本体２８は、上蓋２９、本体筒３０、底蓋３１、及びスプールと巻き上げノブとを一体に形成したスプール一体型巻上げノブ３２とから構成される。スプール一体型巻上げノブ３２の巻芯部３６の前端と後端にはそれぞれ遮光フランジ４６が形成されている。本体筒３０は円形に丸められた金属薄板からなり、その両端を円筒面の接線方向に折り曲げてフイルムの給送口が形成される。その内側には遮光用のテレンプ３３が貼り付けられている。
【００１９】
写真フイルム２３の先端には係止片３４が設けられ、この係止片３４に２つの係止穴３５が形成されている。巻芯部３６に形成されたフイルム挿入口３７の奥には中空部３８が設けられており、中空部３８の壁上には係止突起３９が設けられている。係止片３４をフイルム挿入口３７に差し込み、係止穴３５を係止突起３９に引っ掛けることで写真フイルム２３はその一端が巻芯部３６に係止される。
【００２０】
上蓋２９と底蓋３１とは、遮光性を有するプラスチックで形成されている。上蓋２９は、第１半円部材４０と第２半円部材４１とからなる。第１半円部材４０の接合面には突条４０ａと突出片４０ｂとが設けられ、突条４０ａと突出片４０ｂに対して第２半円部材４１には溝４１ａと溝４１ｂとが設けられている。スプール一体型巻き上げノブ３２に形成されている円柱状のノブ軸部４２が上蓋開口部４３内に収まるように、ノブ軸部４２を第１半円部材と第２半円部材とで挟み（図３矢印を参照）、突条４０ａを溝４１ａに、突出片４０ｂを溝４１ｂに差し込んで結合させることで上蓋２９が形成される。
【００２１】
底蓋３１に形成された嵌合溝４５は、本体筒３０の底部開口端に嵌め込まれ、同様に上蓋２９の嵌合溝４４（図５参照）が本体筒３０の上部開口端に嵌め込まれパトローネ本体２８内が光密となる。また、上蓋２９上面には、外周の輪郭に沿うように、上方に突出した第２遮光リブ４７が形成されている。
【００２２】
次に、本発明の作用について説明する。図４は、パトローネ室及びパトローネの概略斜視図であり、図５は、パトローネがパトローネ室に収納された状態を示す断面図である。従来のレンズ付きフイルムユニットでは、パトローネ室を遮光するために、図７に示すように、巻き上げノブ４８の下面に円形溝４９，５０を設け、パトローネ室５１の上部に形成された遮光リブ５２、５３を巻き上げノブ４８の円形溝４９、５０に嵌合させていた。本発明のレンズ付きフイルムユニット２においては、スプール一体型巻き上げノブ３２を備えたパトローネ３を用いているため、図５に示すように、パトローネ室２０の上壁の内面に形成された第１遮光リブ２２を、上蓋２９上面から突出した第２遮光リブ４７に係合させることによりパトローネ室２０を遮光している。スプール一体型巻上げノブ３２の巻き上げノブ６は、パトローネ室２０の開口２１より突出し、レンズ付きフイルムユニット２の背面から露呈する（図１参照）。なお、不図示であるが、巻き上げノブ６を、開口２１に入り込むように厚くすることでさらに確実に遮光することができる。
【００２３】
露光済みの写真フイルムが巻き込まれたパトローネをパトローネ室から取り出す場合、従来のレンズ付きフイルムユニットにおいては、図７に示すように、スプール５４の上部に形成されたスプール穴５５と巻き上げノブ４８の下面から突出したノブ軸５６との嵌合を解除してパトローネ５７を取り出していた。しかし、本発明のレンズ付きフイルムユニットにおいては、スプールと巻き上げノブが一体に形成されたスプール一体型巻き上げノブ３２がパトローネ本体２８に取り付けられているので、上述した従来のような方法ではパトローネを取り出すことはできない。
【００２４】
そこで、図６に示すように、パトローネ室２０上壁の開口２１を巻き上げノブ部６の外径よりも大きく形成することで、巻き上げノブ６が開口２１に引っ掛かることなく、レンズ付きフイルムユニット２下部の底蓋２６からスプール一体型巻き上げノブ３２を備えたパトローネ３を取り出すことができる。これにより、レンズ付きフイルムユニット２にパトローネを詰め替えるには、新たに巻き上げノブを生産する必要があり、容易に詰め替えすることができなくなる。よって、レンズ付きフイルムユニットが、ユーザーによって不当に再使用されることが防止される。
【００２５】
また、パトローネと巻き上げノブが一体に形成されていない場合でも、上述した開口２１のような開口を設ければ、巻き上げノブをパトローネと一緒に底蓋から取り出すことができる。
【００２６】
上記実施形態では、パトローネ室２０の上壁の開口２１は本体基部１２から形成されたが、この開口２１は本体基部１２と後カバー１３の両方から形成されても良い。この場合、第１遮光リブも本体基部１２と後カバー１３から形成される。
【００２７】
また、上記実施形態では、スプール一体型巻上げノブ３２を備えたパトローネ３をレンズ付きフイルムユニット２下部に設けられた底蓋２６から取り出すために、パトローネ室２０上壁の開口２１を巻き上げノブ６の外径よりも大きくしたが、これに限ることなく、例えば、パトローネ室２０の上壁及び側壁を本体基部１２と後カバー１３の両方から形成し、後カバー１３側にパトローネ室２０の上壁及び側壁と一体になっているパトローネ取り出し口を設け、そのパトローネ取り出し口から、スプール一体型巻き上げノブ３２を備えたパトローネ３を取り出すようにしても良い。
【００２８】
なお、近年、一般に普及しつつある新しい方式の写真システムである「Ａｄｖａｎｃｅｄ　Ｐｈｏｔｏ　Ｓｙｓｔｅｍ　（ＡＰＳ）」に対応した写真フイルムカートリッジとこれを使用するレンズ付きフイルムユニットにも本発明を実施することは可能である。
【００２９】
【発明の効果】
以上のように、本発明のレンズ付きフイルムユニットによれば、スプールと巻き上げノブが一体に形成されているので、パトローネを取り出す際には、巻き上げノブごとパトローネが取り除かれる。したがって、パトローネを詰め替えるには、新たにノブを再生産する必要があり、容易に詰め替えることができなくなるので、レンズ付きフイルムユニットが不当に再使用されることを防止することができる。
【図面の簡単な説明】
【図１】レンズ付きフイルムユニットの外観を示す背面側斜視図である。
【図２】レンズ付きフイルムユニットの構成を示す分解斜視図である。
【図３】パトローネの分解斜視図である。
【図４】本発明の要部構成を説明するための斜視図である。
【図５】本発明の要部構成を説明するための断面図である。
【図６】パトローネ及びパトローネ室の断面図である。
【図７】パトローネ室における従来の一般的な遮光構造を示す断面図である。
【符号の説明】
３　パトローネ
２０　パトローネ室
２１　開口
２２　第１遮光リブ
３２　スプール一体型巻き上げノブ
４７　第２遮光リブ
【図１】
2004126189.tif 000003
【図２】
2004126189.tif 000004
【図３】
2004126189.tif 000005
【図４】
2004126189.tif 000006
【図５】
2004126189.tif 000007
【図６】
2004126189.tif 000008
【図７】
2004126189.tif 000009